(57)【要約】【課題】  汎用性が広く、小型で簡単な構造であって非整列ワークのバケットへの戻りを速くして作業能率の向上を図ることができる整列供給装置を提供する。【解決手段】  下部が水平直線状を成す側壁と、側壁に向けて傾斜する底板を有する上部開放のバケットと、バケットの前記側璧下部に沿って配置された昇降可能な掻上板と、掻上板を昇降させる昇降装置と、前記側壁に沿って配置された整列レールと、レール加振機と、レールの上面に設けた選別手段と、前記整列レールと並列に且つワークの進行方向とは逆の方向に水平から所定角度低下して傾斜させた平面を有するワーク戻し板を設け、ワーク戻し板に振動を加える手段を設ける。  また、前記掻上板が上昇して干渉する部分を避けて前記バケット側に延伸させた傾斜平面を有するワーク戻しシューターとして設け、シューターの先端に向けて流体を吹き付ける。  加えて、前記整列レールの前記掻上板に接する側のレールの角だけに非整列の切り欠き部を設ける。【選択図】図１
2011116563.tif 000002
【特許請求の範囲】
【請求項１】
下部が水平直線状を成す側壁と、当該側壁に向けて傾斜する底板を有する上部開放のバケットと、当該バケットの前記側壁下部に沿って配置された、上端にてワークを掻上げる昇降可能な掻上板と、当該掻上板を昇降させる昇降装置と、前記側壁の上端外側に前記側壁に沿って配置されたワークの整列レールと、当該整列レールを加振してワークを前進させる加振機と、前記整列レールの上面に設けてワークを選別して非整列ワークを落下させる手段と、前記整列レールの掻上板を越えたワーク進行方向の所定位置で、前記整列レールの前記掻上板と接する側に整列レールと隣接して並列に且つワークの進行方向とは逆の方向に水平から所定角度低下して傾斜させた平面を有するワーク戻し板を少なくとも一箇所設け、当該ワーク戻し板に振動を加える手段を設けることを特徴とした整列供給装置。
【請求項２】
前記ワーク戻し板を、前記整列レールの内側に整列レールと並列に、ワークの進行方向とは逆の方向に水平から所定角度低下して傾斜させるとともに、前記掻上板が上昇して干渉する部分を避けて前記バケット側に延伸させた傾斜平面を有するワーク戻しシューターとして設け、当該ワーク戻しシューターの先端に向けて流体を吹き付ける手段を設けた請求項１に記載する整列供給装置。
【請求項３】
下部が水平直線状を成す側壁と、当該側壁に向けて傾斜する底板を有する上部開放のバケットと、当該バケットの前記側壁下部に沿って配置された、上端にてワークを掻上げる昇降可能な掻上板と、当該掻上板を昇降させる昇降装置と、前記側壁の上端外側に前記側壁に沿って配置されたワークの整列レールと、当該整列レールを加振してワークを前進させる加振機と、前記整列レールの上面に設けてワークを選別して非整列ワークを落下させる手段と、前記整列レールの掻上板を越えたワーク進行方向の所定位置で、前記整列レールの前記掻上板と接する側に整列レールと隣接して並列に且つワークの進行方向とは逆の方向に水平から所定角度低下して傾斜させた平面を有するワーク戻し板または、前記整列レールの内側に整列レールと並列に、ワークの進行方向とは逆の方向に水平から所定角度低下して傾斜させるとともに、前記掻上板が上昇して干渉する部分を避けて前記バケット側に延伸させた平面を有するワーク戻しシューターとして設け、当該ワーク戻しシューターまたは前記ワーク戻し板の先端に向けて流体を吹き付ける手段を設けた整列供給装置。
【請求項４】
前記整列レールの前記掻上板に接する側の角だけに、非整列のワークを落下させる略円弧状の切り欠き部を少なくとも一箇所設けた請求項１乃至請求項３に記載する整列供給装置。
【発明の詳細な説明】
【技術分野】
【０００１】  本発明は、例えば機械部品などを整列状態にして次の工程に供給する整列供給装置に関するものである。
【背景技術】
【０００２】  従来から、各種の整列供給装置については、多く用いられているが、経済状態が厳しい最近は、顧客の要望として、安価で確実性の高い整列供給装置を開発して欲しいとの要請が多くある。また、自動車、電機、機械、薬品・医療、食品などの各種業界で数多くの整列供給装置が利用されている中で未だ、普及が十分でないのは整列供給装置の価格が高いことが採用のネックとなっている。
更に、現時点での整列供給装置の業界ではボウルフィーダーが主流であり、円周上での整列用アタッチメントを職人が手加工で製作しているために、整列供給装置の品質の不安定やコストが高い原因となっている。
従って、簡単な構造で安価な整列供給装置が市場で強く求められている。
【背景技術】
【０００３】  従来から簡単な構造の掻上げ式の整列供給装置が存在したが、そのいずれもがワークが特定品、例えば段付き柱状体などに限定された単機能なものである。（特許文献１参照）【０００４】  または整列レールの一方に切り欠きを設けたもので、このものは、ワークの非整列のものが混在して搬送されてしまうと言う問題があった。（特許文献２参照）【０００５】  更に、上記の問題解決の改良をして特許公開され、有頭ワークに限定されたものに、垂直の案内部材の下方側に向かって低くなる傾斜底板を有するワーク貯留用のバケットと前記案内部材に沿って昇降する掻上板と前記案内部材に沿って前記掻上板の反対側に位置してバケットの外側まで延びた加振機付き整列搬送路と、大きく傾斜した部品戻し斜面を設けたもの（特許文献３参照）がある。【０００６】  前記特許文献３のものには以下のような多くの欠点や問題がある。
１）  有頭パーツに限定されているため、汎用性が狭い。
２）  整列したワークを掻上板の反対側に並べたり、または非整列品を高い所から落下        させ後で、それを拾い上げて循環させるために整列装置の高さとスペースを確保        しなければならず、装置全体が大型になる。
３）  戻し板のシュートの傾斜角度が３０度以上必要であるため、バケットの深さを深        く必要として、掻上板の往復シリンダのストロークが長く必要となり、剛性の面        でも高価なシリンダが必要となる。故に装置全体のコスト高となる。
４）  構成する部品点数が多く構造的に複雑で故障し易く、製作価格も高くなる。
【先行技術文献】
【特許文献１】  実開平５−６８９６８
【特許文献２】  特公平７−５１８３
【特許文献３】  特許第２９７４６４０
【発明の開示】
【発明が解決しようとする課題】
【０００７】  このような問題を解決すると共に、多くの市場の要求に応えようとするもので、本発明は汎用性が広く、小型で簡単な構造であって非整列ワークのバケットへの戻りを速くして作業能率の向上を図ることができる整列供給装置を提供することである。
【課題を解決するための手段】
【０００８】  下部が水平直線状を成す側壁と、当該側壁に向けて傾斜する底板を有する上部開放のバケットと、当該バケットの前記側壁下部に沿って配置された、上端にてワークを掻上げる昇降可能な掻上板と、当該掻上板を昇降させる昇降装置と、前記側壁の上端外側に前記側壁に沿って配置されたワークの整列レールと、当該整列レールを加振してワークを前進させる加振機と、前記整列レールの上面に設けてワークを選別して非整列ワークを落下させる手段と、前記整列レールの掻上板を越えたワーク進行方向の所定位置で、前記整列レールの前記掻上板と接する側に整列レールと隣接して並列に且つワークの進行方向とは逆の方向に水平から所定角度低下して傾斜させた平面を有するワーク戻し板を少なくとも一箇所設け、当該ワーク戻し板に振動を加える手段を設けることである。【０００９】  前記ワーク戻し板を、前記整列レールの内側に整列レールと並列に、ワークの進行方向とは逆の方向に水平から所定角度低下して傾斜させるとともに、前記掻上板が上昇して干渉する部分を避けて前記バケット側に延伸させた平面を有するワーク戻しシューターとして設け、当該ワーク戻しシューターの先端に向けて流体を吹き付ける手段を設けると好ましい。【００１０】  更に、前記ワーク戻し板または前記ワーク戻しシューターへの振動伝達を止めて、下部が水平直線状を成す側壁と、当該側壁に向けて傾斜する底板を有する上部開放のバケットと、当該バケットの前記側壁下部に沿って配置された、上端にてワークを掻上げる昇降可能な掻上板と、当該掻上板を昇降させる昇降装置と、前記側壁の上端外側に前記側壁に沿って配置されたワークの整列レールと、当該整列レールを加振してワークを前進させる加振機と、前記整列レールの上面に設けてワークを選別して非整列ワークを落下させる手段と、前記整列レールの掻上板を越えたワーク進行方向の所定位置で前記整列レールの前記掻上板と接する側に整列レールと隣接して並列に且つワークの進行方向とは逆の方向に水平から所定角度低下して傾斜させた平面を有するワーク戻し板または、前記整列レールの内側に整列レールと並列に、ワークの進行方向とは逆の方向に水平から所定角度低下して傾斜させるとともに、前記掻上板が上昇して干渉する部分を避けて前記バケット側に延伸させた平面を有するワーク戻しシューターとして設け、当該ワーク戻しシューターまたは前記ワーク戻し板の先端に向けて流体を吹き付ける手段を設けることもできる。【００１１】  更に、前記それぞれの手段に加えて、前記整列レールの前記掻上板に接する側（バケット側）の角だけに、非整列のワークを落下させる略円弧状の切り欠き部を少なくとも一箇所設けると良い。
【発明の効果】
【００１２】  以上のとおり、本発明の整列供給装置によれば、以下の多くの優れた効果を奏する。
請求項１の発明によれば、
１）  一台の装置で整列搬送と非整列のワークを戻し循環させる機能を併せ持ったもの        で、ワークの供給動力源を小型な往復シリンダだけでよく、構造が簡単であり、        従来のボウルフィーダに比べて安価である。
２）  非整列ワークを僅かな傾斜角度の戻し板に加振動することによって、供給ワーク        の貯留上面に戻すことができるのでワーク貯留バケットを浅くでき、装置全体が        小型なので省スペースが可能である。
３）  装置の整列レール（整列用トラフ）が容易に交換できるので形状の異なるワーク        などを一つの整列供給装置で兼用することができる。
４）  装置の作動音は整列レール振動用の加振機だけなので低騒音である。
５）  ワーク整列レールの搬送路面の磨耗が少ないので寿命が長く経済的である。
故に、特別な熟練を必要としないので誰でもが同等品質の製品を整列搬送することが可能となり、安定した品質と安価な製品を供給することができる。【００１３】  また、請求項２の発明によれば、ワークが流れやすい傾斜しているワーク戻しシューターへの振動と共に上流から下流の先端に向けて流体をワークに吹き付けることによって、
戻されるワークをバケットの中央部且つ掻上板の上端面付近に戻すことができ、再び掻上板の上端面に乗りやすく、即掻上げられるので、より速く整列し易い。
特に、ワークが小型で、プラスチックを主体とする軽量なものや、油などが付着したものには、素晴らしい効果が得られる。【００１４】  また、請求項３の発明によれば、前記ワーク戻し部材への振動伝達を止めて、ワーク戻しシューターやワーク戻し板の先端に向けて流体を吹き付ける手段を設けたことによって、
ワーク戻しシューターやワーク戻し板に充分な剛性を必要とせず、また、整列レールへの着脱、交換も容易にできるので、これらを各種にアレンジして、より汎用性を高めることができる。しかも、ワーク戻し部材への新たな振動源も必要としない。【００１５】  また、請求項４の発明によれば、前記整列レールの前記掻上板に接する側のレールの角だけに、非整列のワークを落下させる円弧状の切り欠き部を設けたことによって、
ワークが整列レール上面を振動走行中に所定外姿勢のワーク即ち非整列ワークを脱落させて粗い選別をしてしまうので、整列供給の作業能率が向上され、また整列の精度も向上することができる。しかもレールの一角部だけを円弧状に切り欠いたために、ワークはレール上を途切れることがなく連続して円滑に流れ、従来案の部分的にレール全部を切り欠いた時のように、切り欠き部にワークが引っ掛かってしまう恐れがない。
【発明を実施するための最良の形態】
【００１６】  本発明の実施の形態について図面を参照して説明する。
図１は本発明の整列供給装置の第１の実施例の正面図で、図２は同じく右側面図で、図３は主要部構成を示す拡大した部分平面図（ａ）と正面図（ｂ）で、図４は本整列装置の作動原理の説明図で、図５は本整列装置のワークがボルトの場合の選別方法の説明図で、図６は本整列装置のワークがツバ付ナットの場合の選別方法の説明図である。
図の中の符号１はバケットで、２は掻上板、３はシリンダ、４は整列レール、５は加振機、６は選別ガイドであり、そして、７のワーク戻し板、とで主に構成されている。【００１７】  図１乃至図３で示すように、下部が水平直線状を成す略垂直な側壁１１と、当該側璧１１に向けて下方に傾斜する底板１５を有する上部開放のバケット１と、当該バケット１の前記側壁１１の下部に沿って配置された、上端にてワークＷを掻上げる昇降可能な掻上板２と、当該掻上板２を往復昇降させる昇降装置であるシリンダ３と、前記側壁１の上端外側に前記側壁１１に沿って配置された整列レール４と、当該整列レール４を加振してワークＷを前進させる整列レール４と連結された加振機５と、前記整列レール４の上面に設けてワークＷを選別して非整列ワークＷを落下させる手段である選別ガイド６と、前記整列レール４の掻上板２を越えたワーク進行方向の所定位置で、前記整列レール４の前記掻上板２と接する側に整列レール４と隣接して並列に且つワークＷの進行方向とは逆の方向に水平から所定角度（約１５度）低下して傾斜させた平面を有するワーク戻し板７を設け、当該ワーク戻し板７に振動を加える手段として、本実施例では図１乃至図３で示すように、前記整列レール４とワーク戻し板７が離れている場合には両者を接続して振動させるための連結部材８を設けている。
尚、作製上可能ならば、振動している整列レール４とワーク戻し板７を一体的に形成するか、両者を直接溶接などで接着するのが好ましい。【００１８】  前記バケット１は、整列前のワークＷの所定量を貯留させるもの（ホッパーとも言われるもの）であって、下部が水平直線状を成す略垂直な側壁１１と、当該側壁１１に向けて下方に傾斜する底板１５を有する上部開放で、周囲を壁面によって囲まれ、中にワークＷを貯留することができるようになっていて、底板１５の最下部の前記側壁１１の内側に沿って掻上板２が通過するだけの窓が開いている。そして、バケット１は機台１０に固定したスティ９によって所定の高さ・場所に支持されている。
図１および図２に示すように、一般的な形状は傾斜板を底板１５とした箱状の容器であるが、掻上板２の案内基準となる側壁１１だけ垂直な平面であれば、他の周壁は曲面でもよい。従って、垂直と水平面で軸に沿って四分割した横置き円筒体の垂直切断面に側壁１１を設けた形状でもよい。【００１９】  前記掻上板２は上端面にワークＷを搭載可能な板厚を有し、その上端面はバケット１の外側整列レール４の方向即ち底板１５と同じ方向に低下して傾斜する傾斜面に形成され、上端面に掻上げられたワークＷがバケット１に落下するのを阻止するとともに、最も上昇した位置でワークＷが整列レール４に乗り移りやすいようにしている。また、掻上板２は側壁１１の上端を越え、整列レール４上面を超えた位置からバケット１の底板１５までの距離とを昇降往復するように支持アーム２１を介してエアーのシリンダ３によって駆動される。このシリンダ３は図示しないコントローラで、昇降ストロークや動作速度とタイミングが制御されている。【００２０】  前記バケット１の側壁１１の上端外側には、この側壁１１に沿ってワーク整列用の整列レール４が設けられ、必要ならば図２のように整列レール４は軸を中心にレール面を傾斜させて、先端がバケット１の横幅を越えて整列されたワークＷが供給されるところまで水平に延伸して配置されている。そして整列レール４には掻上げられて搭載されたワークＷをその前方端に向けて搬送（前進）させるための振動を加える加振機５が整列レール取付台５１を介して接続されている。この整列レール取付台５１は４本のボルトで締め付けられているので、同じ装置でもってワークの種類や大きさ・形状に合わせて最適な整列レール４に簡単に交換することができるので、ワークＷに応じた汎用性が広くなって経済的でもある。また、収納や運搬にも便利である。
また、整列レール４の外側（バケット１の反対側には、整列レール４に沿ってストッパプレート４８（図２参照）を設けてワークＷが外側に脱落しないようにしている。更に、整列レール４の上面には異種ワークや必要としない姿勢のワークＷ（非整列ワークＷと言う）を落下させてバケット１内に戻す各種の選別ガイド６（図１、図５、図６参照）が設けられている。【００２１】  前記ワーク戻し板７は、本実施例においては、図１から図３に示すように、前記整列レール４の掻上板を越えたワーク進行方向の所定位置即ちバケット１のワーク進行方向側面の位置に、前記整列レール４の前記掻上板２と接する側に、前記整列レール４と平行に隣接して設けているが、前記整列レール４とワーク戻し板７が離れているので連結部材８を介して両者を溶接で接続している。そして、このワーク戻し板７は、ワークの進行方向とは逆の方向に水平から所定角度（本実施例では約マイナス１５度）低下して傾斜させた平面を有していて、開放口であるその先端がバケット１のワークＷの貯留レベルより上にあって、全体を箱または樋枡状に形成して、整列レール４との連結部及びバケット１への開口部を除いた二辺は壁板７５を取り付けてワークＷが外に脱落しないように囲っている。
また、ワーク戻し板７は、前述の連結部材８によって、整列レール４と同じ振動を効率よく受けている。更に必要ならば、振動の伝達効率を向上したり、余分な異常振動を受けないために、このワーク戻し板７の剛性を上げるべく板厚を増したり、裏面に補強リブ７１を追加する。また、場合によっては必要に応じて新たな別の加振機を設けてもよい。【００２２】  更に、本実施例では、ワーク戻し板７は、ワークの進行方向とは逆の方向に水平から約マイナス１５度低下して傾斜させた平面であるが、前記整列レール４との隔たった方向（整列レール軸のｘ軸方向に対して垂直なｚ軸方向）への僅かな外側への傾斜例えば水平からマイナス２度からマイナス５度程度の角度を持たせてもよい。
ワークＷの形状や種類によっては、こうした外側への傾斜のワーク戻し板７がバケット１への戻りが円滑な場合も考えられる。【００２３】  以下に本発明の全く新しい技術思想による作動原理を図４に基づいて説明する。
図４で示すように、本装置の最大のポイントは前記整列レール４と平行に配置した前記ワーク戻し板７の傾斜角度を水平からマイナス１５〜マイナス２０度とすることで、整列レール４から脱落された非整列のワークＷをできる限りバケット１の貯留ワークＷの上部位置から戻し入れるようにしていることである。
一般に、この程度（−１５〜−２０度）の傾斜角の板面では振動を与えないと、板上面のワークＷは板面を滑り落ちることができなく、その位置に滞留して溜まってしまうものであるが、本発明は、このワーク戻し板７に整列レール４と同等な振動を加えることによって、ワークＷは整列レール４上の流れとは反対の、戻し板７の上面を逆走することを十分な研究によってつきとめ、この新たな技術思想を活用したものである。この振動によれば、ワーク戻し板７のある程度の表面摩擦があっても、ワークＷに多少の油などが付着していても問題なく、非整列ワークＷ２は傾斜した戻し板７の面を走行してバケット１の上部位置すなわち図示するＨ１レベルでバケット１内の貯留ワークＷの上面に落下させて戻すことができるのである。もしできれば、図示するＨ２レベルのワーク貯留満杯状態の上からが好ましく、後述する別のワーク戻しシューターやその他のアタッチメントなどを用いれば、これも可能であると考えられる。【００２４】  本装置の更に詳細な説明と、図１と図２に基づいて、その作動を以下に説明する。
シリンダ３が下死点にある状態でバケット１に多数のワークＷをまとめて投入した後、図示しないスタートスイッチを押すと、シリンダ３の往復昇降運動が作動して掻上板２を上昇させる。この時、掻上板２はバケット１の側壁１１に沿って上昇し、上端面に貯留したままの不揃いなワークＷを保持した状態でシリンダ３の上死点の位置に側壁１１と並んで配置された整列レール４まで持ち上げることになる。そして掻上板２は元の位置であるバケット１の底まで下降して、その上にはバケット１内の貯留ワークＷが乗り上げる。これを繰り返すことによって、最初に多数一括してバケット１に投入された貯留ワークＷは順次掻き上げられる。その際、掻上板２の上端面はバケット１の外側に向かって低下する傾斜面であるので、上端面の上に保持されたワークＷはバケット側への脱落がし難く、整列レール４の上面に移動しやすい。【００２５】  続いて整列レール４に載せられたワークＷは、整列レール４は加振機５によって振動しているため、その振動を受けて整列レール４の前先端の方向に移動搬送される。こうして移動搬送途中、整列レール４の上にある選別ガイド６に差し掛かるとワークＷは正しい姿勢にあるものはそのまま通過するが、不正な姿勢のものは横転したりして整列レール４から脱落してバケット１の中、またはワーク戻し板７の上に落下する。すなわち、整列レール４の掻上板幅長の前進方向先端位置に到達するまでに正しく整列できなかったワークＷは、そのままバケット１内に脱落すか、その位置を超える前方整列レール４の延伸した部位での、ワーク戻し板７が設けられたところにおいて最後の選別ガイド６によって樋枡形のワーク戻し板７の上に落下する。そして、このワーク戻し板７は整列レール４と同等の振動があるので僅かな傾斜角度でもワークＷは逆送してバケット１の高さ上部位置に滑り落ちて戻される。この結果、正しい姿勢で整列したワークＷだけが整列レール４に乗って先端まで前進して整列状態で供給される。【００２６】  図３および図４に示すように、整列レール４はワークＷが流れる方向に水平なレールに振動を与えることによって、ワークＷを搬送しながら必要とする姿勢で整列して供給するもので、必要としない姿勢のワークＷ（非整列ワーク）は整列レール４から脱落させ、バケット１に戻し、再び掻きあげて整列レール４の上面に並べるのである。
図５はワークＷがボルト形状の整列供給を示すもので、図５（ａ）では昇降する掻上板２で掻き上げられたボルトＷは、掻上板２の上端面が、整列レール４側に傾斜（この傾斜角度は整列レール傾斜角以上に高角度にしておくと良い）しているので、整列レール４の上面に容易に乗り移る。続いて、ボルトＷが頭部を上にして整列しやすいように整列レール４の断面の上面が傾斜している整列レール４の上に配置された選別ガイド６の奥深くにボルトＷの頭部だけが掛かって振動で整列しながら搬送され、選別ガイド６が連続曲線で形成されて、選別ガイド６の面が次第に図５（ｂ）のように整列レール４の端に寄ってくると、ワークＷであるボルト頭部が整列レール４の角に落込んで引っ掛かり確実に整列される。この間に所定の姿勢になれなかったボルト（ワークＷ）は、整列レール４から脱落していくので、最後まで残ったボルトＷだけが完全に整列して供給される。【００２７】  図６は、ワークＷがツバ付ナットの場合であって、整列レール４はワークＷによって異なり、先述のボルトＷの場合より上面の傾斜角度は浅く、図６（ａ）のように整列レール４の上面の選別ガイド６は２段の形状で成り、奥の一段目はツバ押さえ６１で、続いてナット上面から所定の隙間を有する二段目は上下方向以外の姿勢ナットの上下位置選別板６２となっている。従って、振動で整列しながら搬送され、前記ツバ押さえ６１と上下位置選別板６２両者の条件を満たして、最後まで残ったツバ付ナットＷだけが完全に整列して供給される。そして、連続曲線で形成された選別ガイド６が図６（ｂ）のように次第に整列レール４の端に寄ってくると、ツバが上になったものや、その他所定の姿勢になれなかったツバ付ナット（ワークＷ）は、整列レール４の上から脱落していく。
尚、整列レール４はワークＷに応じて最適なものに交換するので、図２に示す整列レール取付台５１から容易にボルトにて分解組み立てができるようになっている。【００２８】  図７は第２の実施例の主要部を拡大した図３に対する平面図（ａ）と正面図（ｂ）である。
図７で示すように、先述の第１の実施例におけるワーク戻し板７を、前記整列レール４の内側に整列レール４と並列に、ワークの進行方向とは逆の方向に水平から所定角度低下して傾斜させるとともに、前記掻上板２が上昇して干渉する部分を避けて、前記バケット１側に延伸させた傾斜平面を有するワーク戻しシューター７６として設け、当該ワーク戻しシューター７６の先端に向けて流体である圧縮空気を吹き付ける手段としてエアーパイプ  ７８を設けたものである。
このワーク戻しシューター７６は図７のように、根元を整列レール４に接続された略Ｌ文字形に形成した底板が傾斜した平面であり、その両側をシューター側壁７６１で所定の高さ囲まれた樋に似たもので、その下流の先端は掻上板２の手前、バケット１の中央部まで延びている。そして、エアーパイプ７８は、ワーク戻しシューター７６の中心軸上、且つ底板の延伸方向に略並行で先端をやや下向きにして設置され、この先端からコンプレッサー（図示しない）からの圧縮空気を吐出させて、ワークを押し流すように、このエアーパイプ７８をパイプ支持板７９に溶接固定して設けている。前記パイプ支持板７９は取付ネジ７７でバケット１の側壁に取り付けられていて、前記エアーパイプ７８は横Ｕ文字形に曲げられて、パイプの塑性によって吐出口の位置を調整することができる。
従って、当該エアーパイプ７８の先端であるエアーの吐出口を前記ワーク戻しシューター７６の上流から下流に効率良く流すことができる。
エアーの吐出タイミングは、前記掻上板２が最下位置にある時に連動させると好い。
また、このワーク戻しシューター７６の底板表面を円滑材でコーティングしておくと、摩擦係数が低下してワークＷが滑り易くなって好ましい。【００２９】  こうすることによって、圧縮空気の流れの勢いで図４の想像線や図８で示すように、戻されるワークＷをバケット１の中央部且つ掻上板２の上端面付近に戻すことができ、そのまま再度掻き上げられて再び選別されるので能率良く整列供給することができる。
また、戻されたワークＷがバケット１の片隅一箇所に溜まらないので、ワークＷが平均的に保たれて、順次前記掻上板２に平均的に乗るので好ましい。【００３０】  図８は第３の実施例の主要部を拡大した斜視図である。
図８で示すように、前記ワーク戻し部材への振動伝達を止めて、ワーク戻しシューター７６の先端に向けて流体を吹き付ける手段を設けたものである。
故に、ワーク戻しシューター７６は整列レール４に固着する必要がないので、整列レール４との隣接した適宜の場所に簡単に取付ネジ７７で取り付けたり、場合によっては整列レール４との隙間をとることもできる。そして、ワーク戻し板に充分な剛性を必要とせず、また、整列レールへの着脱、交換も容易にできるので、これらを各種にアレンジして、より汎用性を高めることができる。
しかも、ワーク戻し部材への新たな振動源も必要としない。【００３１】  図９は第４の実施例の主要部で、図３と同様な平面図（ａ）と正面図（ｂ）である。
図９では、先述のワーク戻し板の場合において示しており、前記整列レールの前記掻上板に接する側（バケット側）の角だけに、非整列のワークを落下させる略円弧状の切り欠き部を設けたものである。【００３２】  図９に示すように、前記整列レール４の前記掻上板２に接する側即ちバケット１側のレールの角だけを円弧状または図のように円弧中央部を平らにした皿状にして、切り欠き部４２を整列レール４の前方部のワーク戻し板７との接する場所と、整列レール４の中央部の二箇所に設けている。いずれも、Ｙ−Ｙ断面図で示すように、整列レール４の断面の切り欠き部４２の向かい側の上端の角と、手前側の切り欠き部４２の下端の角を残すように切り欠いている。従って、ワークＷが進行するレール辺は連続していることになる。
この切り欠き部４２の形状を変化（上面を多く欠き、側面を少なく欠くこと）させたり、切り欠き部４２の数を増す、又位置を変えると、より効果的である。【００３３】  こうすることによって、所定外の姿勢のワークＷを早めに落下して粗い選別をさせるので、作業能率と整列精度が極めて向上することができる。特に整列レール４の上面、側面ともに対辺角を残した円弧状または皿形状にした切り欠き部４２を設けたので、レール上面では常にレールの角が途切れなく当たっていてワークＷの流れ（走行）に支障しないことや、非整列ワークＷがバケット１内に脱落し易いガイドにもなっている。【００３４】  以上に述べたように、本発明の整列供給装置の実施の形態は、現時点での発明の最も好ましい形態を示すものであり、本発明はこれに限定されない。
発明の趣旨を逸脱しない範囲においての変化も、この発明に含むものとする。
例えば、バケット１の底板が直線傾斜であるものを、円弧状の曲線板とすることや、側璧１を掻上板とともに所定角度傾斜させることや、掻上板を昇降させる手段を機械式（クランク機構またはラックとピニオン）や油圧シリンダなどにすることである。
また、掻上板の上端面にワーク幅等に合わせた溝や凹凸を設けて、掻き上げながら一次選別をさせて、能率を上げることも考えられる。
また、ワーク戻し板７や戻しシューター７６は、バケット１の外側又は内側いずれにも設けることができるものとする。
更に、前記ワーク戻し板７の傾斜角度を水平から略マイナス１０〜マイナス２５度とすることもできる。
【図面の簡単な説明】
【００３５】
【図１】本発明の整列供給装置の正面図である。
【図２】本発明の整列供給装置の側面図である。
【図３】本発明の主要部構成を示す拡大した平面図（ａ）と正面図（ｂ）である。
【図４】本発明の整列供給装置の作動原理を示す概略説明図である。
【図５】本発明の整列供給装置のワークがボルトの場合の選別方法の説明図である。
【図６】本発明の整列供給装置のワークがツバ付ナットの場合の選別方法の説明図である。
【図７】図３に対する第２の実施例の平面図（ａ）と正面図（ｂ）である。
【図８】第３の実施例の主要部の拡大斜視図である。
【図９】図３に対する第４の実施例の平面図（ａ）と正面図（ｂ）である。
【符号の説明】
【００３６】１  バケット          １１  側壁                １５  底板
２  掻上板            ２１  支持アーム
３  シリンダ
４  整列レール        ４２  切り欠き部          ４８  ストッパプレート
５  加振機            ５１  整列レール取付台
６  選別ガイド        ６１  ツバ押さえ          ６２  上下位置選別板
７  ワーク戻し板      ７１  補強リブ            ７５  壁板
７６  ワーク戻しシューター            ７６１  シューター側壁
７７  取付ネジ
７８  エアーパイプ              ７９  パイプ支持板
８  連結部材
９  スティ
１０  機台
Ｗ  ワーク
【図１】
2011116563.tif 000003
【図２】
2011116563.tif 000004
【図３】
2011116563.tif 000005
【図４】
2011116563.tif 000006
【図５】
2011116563.tif 000007
【図６】
2011116563.tif 000008
【図７】
2011116563.tif 000009
【図８】
2011116563.tif 000010
【図９】
2011116563.tif 000011